(57)【要約】【課題】  肥満抑制に対するモチベーションを維持し、肥満の状態を正確に把握することができる体組成管理装置、体組成管理方法、および体組成管理プログラムを提供することを目的とする。【解決手段】  体脂肪量算出手段１４０が、体重と体脂肪率とから体脂肪量を算出し、筋肉量算出手段１５０が、体重と体脂肪量とから筋肉量を算出し、推移算出手段１６０が、所定の期間の経過した筋肉量の推移量である筋肉推移量と、所定の期間の経過した体脂肪量との推移量である体脂肪推移量とのうち少なくとも一方を算出する。【選択図】図１
2020119019.tif 000002
【特許請求の範囲】
【請求項１】
入力された利用者の体重と体脂肪率とから体組成を管理する体組成管理装置において、
前記体重と前記体脂肪率とから体脂肪量を算出する体脂肪量算出手段と、
前記体重と前記体脂肪量とから筋肉量を算出する筋肉量算出手段と、
前記体脂肪量算出手段が算出した体脂肪量のうち所定の期間で推移した体脂肪量である体脂肪推移量と、前記筋肉量算出手段が算出した筋肉量のうち所定の期間で推移した筋肉量である筋肉推移量とのうち少なくとも一方を算出する推移量算出手段と、
を備えることを特徴とする体組成管理装置。
【請求項２】
前記体脂肪推移量を、前記体脂肪推移量を消費するために必要なエネルギー量に換算するエネルギー量換算手段、
を備えることを特徴とする請求項１記載の体組成管理装置。
【請求項３】
前記エネルギー量を消費するために必要な運動値に換算する運動値換算手段、
を備えることを特徴とする請求項２記載の体組成管理装置。
【請求項４】
前記エネルギー量を、食事で摂取した場合の摂取エネルギーに換算する摂取エネルギー換算手段、
を備えることを特徴とする請求項２記載の体組成管理装置。
【請求項５】
前記体脂肪量、前記筋肉量、前記体脂肪推移量、あるいは前記筋肉推移量のうち少なくとも１つから前記利用者の肥満を解消するための健康情報を提供する健康情報提供手段、
を備えることを特徴とする請求項１記載の体組成管理装置。
【請求項６】
前記健康情報提供手段は、
ソーシャル・ネットワーキング・サービスを介して、前記利用者に情報を提供すること、
を特徴とする請求項５記載の体組成管理装置。
【請求項７】
入力された利用者の体重と体脂肪率とから体組成を管理する体組成管理方法において、
体脂肪量算出手段が、前記体重と前記体脂肪率とから体脂肪量を算出するステップと、
筋肉量算出手段が、前記体重と前記体脂肪量とから筋肉量を算出するステップと、
推移量算出手段が、前記体脂肪量算出手段が算出した体脂肪量のうち所定の期間で推移した体脂肪量である体脂肪推移量と、前記筋肉量算出手段が算出した筋肉量のうち所定の期間で推移した筋肉量である筋肉推移量とのうち少なくとも一方を算出するステップと、
を備えることを特徴とする体組成管理方法。
【請求項８】
入力された利用者の体重と体脂肪率とから体組成を管理する体組成管理プログラムにおいて、
コンピューターを、
前記体重と前記体脂肪率とから体脂肪量を算出する体脂肪量算出手段、
前記体重と前記体脂肪量とから筋肉量を算出する筋肉量算出手段、
前記体脂肪量算出手段が算出した体脂肪量のうち所定の期間で推移した体脂肪量である体脂肪推移量と、前記筋肉量算出手段が算出した筋肉量のうち所定の期間で推移した筋肉量である筋肉推移量とのうち少なくとも一方を算出する推移量算出手段、
として機能させることを特徴とする体組成管理プログラム。
【発明の詳細な説明】
【技術分野】
【０００１】
本発明は、体組成管理装置、体組成管理方法、および体組成管理プログラムに関し、特に入力された利用者の体重と体脂肪率とから体組成を管理する体組成管理装置、体組成管理方法、および体組成管理プログラムに関する。
【背景技術】
【０００２】
従来から、不規則な食生活や食べすぎ、運動不足などの生活習慣が原因により、高血圧や高脂血症、糖尿病などの病気の総称として、生活習慣病という言葉が一般的に知られている。
【０００３】
なかでも肥満、高血圧、糖尿病、高脂血症は、「死の四重奏」とも呼ばれており、これら４つの病気の条件がそろうと、心臓病や脳梗塞などにより突然死につながる恐れがあるとされている。
【０００４】
とくに肥満は生活習慣病の元と言われており、高血圧や高脂血症、糖尿病、痛風や高尿酸血症などの病気の多くが肥満と深く関係があるとされており、肥満該当者の増加は社会全体の医療費抑制によっても重大な課題といえる。
【０００５】
この肥満の度合いを示す指標として、ＢＭＩ（Body Mass Index）や体脂肪率などが知られている。
ＢＭＩは、体型を基準にした指標であり、体重（キロ）を身長（メートル）の２乗で割った体重と身長との関係から肥満度を算出するものであり、ＢＭＩの値が１８．５未満だと「痩せ型」、１８．５以上２５未満だと「普通」、２５以上は「肥満」とされる。
【０００６】
しかしＢＭＩにはいくつかの問題がある。例えば、ＢＭＩでは体重と身長とから肥満度を算出するため、体脂肪と筋肉との区別ができない。このため、例えば身長１８０ｃｍで、体重１００ｋｇのプロレスラーのような体型の人は、ＢＭＩの値が３０．８となり「肥満」とされてしまう。
【０００７】
一方で、体脂肪率は、体重に占める体脂肪の割合、つまり自分の体重の何割が体脂肪なのかを算出するものである。一般に健康だとされる体脂肪率の目安は、男性の場合１５〜２０％、女性の場合では、２０〜２５％とされている。体脂肪率は、男性で２５％以上、女性で３０％以上になると肥満とされている。この体脂肪率や体重を定期的に測定し自分の体重や体脂肪率を把握することで、肥満の抑制、健康管理に活用することができる。
【０００８】
この体重に占める体脂肪の割合である体脂肪率を測定する装置としては、組織の生物学的特性による電気伝導性の差異を利用して身体構成を予測する生体電気インピーダンス法を用いた測定装置が知られている（たとえば、特許文献１参照）。
【０００９】
また放射線などを利用して生体を走査しコンピューター処理で生体の内部情報を画像化するＣＴ（computed tomography）や、核磁気共鳴現象を利用して生体の内部情報を画像化するＭＲＩ（magnetic resonance imaging）を利用することで、生体の断面画像を撮影することで体脂肪率を計算するＣＴ法やＭＲＩ法を用いた測定装置が知られている（たとえば、特許文献２参照）。
【００１０】
体脂肪率の測定方法は、上記の生体電気インピーダンス法、ＣＴ法やＭＲＩ法意外にも、キャリパー法、水中体重秤量法、空気置換法、ＤＥＸＡ（Dual Energy X-Ray Absorptiometry）法（二重エネルギーエックス線吸収法）など様々な方法が知られている。
【先行技術文献】
【特許文献】
【００１１】
【特許文献１】特開２０１５−１１９７４５号公報
【特許文献２】特開２０１８−１５３６０５号公報
【発明の概要】
【発明が解決しようとする課題】
【００１２】
しかし、生活習慣病の元である肥満の度合いを示す仕様である体脂肪率は、上記のように様々な測定方法が知られており、測定方法によって算出される体脂肪率の値が異なるため、測定方法によって異なる体脂肪率を肥満の指標とすることは著しく正確性に欠けている問題があった。
【００１３】
例えば、他人と測定した体重と体脂肪率とを比較して肥満の度合いを比べる場合、比較する他人と自分とで体脂肪率の測定方法が異なった場合、正確に肥満度の度合いを他人と比較することは難しい。
【００１４】
また、同じ測定方法を用いて算出した体脂肪率をみても、同日に計測する度に値が変化するため、同様に肥満の指標とすることはできない問題がある。例えば、生体電気インピーダンス法では、生体に電気が流れやすいか否かで体組成を推定している。体脂肪よりも電解質を多く含む筋肉は、体脂肪よりも電気が流れやすい性質を持っている。この性質を利用し、生体に微弱な交流電流を流して電気インピーダンスを測定することで体脂肪率を推定している。
【００１５】
ところが、生体電気インピーダンス法で「むくみ」などのように生体の一部に水分が偏った状態で、測定した場合と、運動後のように身体全体の循環がよくなり体内の水分分布が安定した状態で測定した場合とでは、測定結果に大きな差が生じてしまう。
このように体脂肪率の測定方法や、測定するタイミングで測定値に差が生じる体脂肪率では、肥満の指標とすることは難しい。
【００１６】
また測定する度に微量の測定差が頻繁に生じてしまうと、人は微量な量の変化に反応しなくなり、肥満や健康に対する危機感を低下させてしまうことになる。これでは、せっかく肥満の抑制や健康管理に活用するべき体脂肪率の測定の意味がなくなってしまうことが考えられる。
【００１７】
さらに体脂肪率や体重を測定し、自分の体重や体脂肪率を把握したとしても、その体重や体脂肪率との関係から、自分の肥満度や健康度を正確に判断することは困難な問題もある。
【００１８】
例えば、同じ体脂肪率の測定装置で測定した場合において、体重：５４．３ｋｇで体脂肪率：２１％の人と、体重：５２．９ｋｇで体脂肪率：２２％の人とで、どちらが肥満かまたは健康であるかを即座に判断することは難しい。
【００１９】
このように、一般に肥満度や健康度の指標とされる体脂肪率や体重から、正確に自分の肥満度や健康度を把握することは難しかった。また測定する装置やタイミングによる測定差が生じることにより、健康へのモチベーションを維持することは非常に難しかった。
【００２０】
本発明はこのような点に鑑みてなされたものであり、肥満抑制に対するモチベーションを維持し、肥満の状態を正確に把握することができる体組成管理装置、体組成管理方法、および体組成管理プログラムを提供することを目的とする。
【課題を解決するための手段】
【００２１】
本発明では上記問題を解決するために、入力された利用者の体重と体脂肪率とから体組成を管理する体組成管理装置において、前記体重と前記体脂肪率とから体脂肪量を算出する体脂肪量算出手段と、前記体重と前記体脂肪量とから筋肉量を算出する筋肉量算出手段と、前記体脂肪量算出手段が算出した体脂肪量のうち所定の期間で推移した体脂肪量である体脂肪推移量と、前記筋肉量算出手段が算出した筋肉量のうち所定の期間で推移した筋肉量である筋肉推移量とのうち少なくとも一方を算出する推移量算出手段とを備えることを特徴とする体組成管理装置が提供される。
【００２２】
これにより、体脂肪量算出手段が、体重と体脂肪率とから体脂肪量を算出し、筋肉量算出手段が、体重と体脂肪量とから筋肉量を算出し、推移量算出手段が、体脂肪量算出手段が算出した体脂肪量のうち所定の期間で推移した体脂肪量である体脂肪推移量と、筋肉量算出手段が算出した筋肉量のうち所定の期間で推移した筋肉量である筋肉推移量とのうち少なくとも一方を算出する。
【００２３】
また、本発明では、入力された利用者の体重と体脂肪率とから体組成を管理する体組成管理方法において、体脂肪量算出手段が、前記体重と前記体脂肪率とから体脂肪量を算出するステップと、筋肉量算出手段が、前記体重と前記体脂肪量とから筋肉量を算出するステップと、推移量算出手段が、前記体脂肪量算出手段が算出した体脂肪量のうち所定の期間で推移した体脂肪量である体脂肪推移量と、前記筋肉量算出手段が算出した筋肉量のうち所定の期間で推移した筋肉量である筋肉推移量とのうち少なくとも一方を算出するステップとを備えることを特徴とする体組成管理方法が提供される。
【００２４】
これにより、体脂肪量算出手段が、体重と体脂肪率とから体脂肪量を算出し、筋肉量算出手段が、体重と体脂肪量とから筋肉量を算出し、推移量算出手段が、体脂肪量算出手段が算出した体脂肪量のうち所定の期間で推移した体脂肪量である体脂肪推移量と、筋肉量算出手段が算出した筋肉量のうち所定の期間で推移した筋肉量である筋肉推移量とのうち少なくとも一方を算出する。
【００２５】
また、本発明では、入力された利用者の体重と体脂肪率とから体組成を管理する体組成管理プログラムにおいて、コンピューターを、前記体重と前記体脂肪率とから体脂肪量を算出する体脂肪量算出手段、前記体重と前記体脂肪量とから筋肉量を算出する筋肉量算出手段、前記体脂肪量算出手段が算出した体脂肪量のうち所定の期間で推移した体脂肪量である体脂肪推移量と、前記筋肉量算出手段が算出した筋肉量のうち所定の期間で推移した筋肉量である筋肉推移量とのうち少なくとも一方を算出する推移量算出手段として機能させることを特徴とする体組成管理プログラムが提供される。
【００２６】
これにより、体脂肪量算出手段が、体重と体脂肪率とから体脂肪量を算出し、筋肉量算出手段が、体重と体脂肪量とから筋肉量を算出し、推移量算出手段が、体脂肪量算出手段が算出した体脂肪量のうち所定の期間で推移した体脂肪量である体脂肪推移量と、筋肉量算出手段が算出した筋肉量のうち所定の期間で推移した筋肉量である筋肉推移量とのうち少なくとも一方を算出する。
【発明の効果】
【００２７】
本発明の体組成管理装置、体組成管理方法、および体組成管理プログラムによれば、体脂肪量算出手段が、体重と体脂肪率とから体脂肪量を算出し、筋肉量算出手段が、体重と体脂肪量とから筋肉量を算出し、推移量算出手段が、体脂肪量算出手段が算出した体脂肪量のうち所定の期間で推移した体脂肪量である体脂肪推移量と、筋肉量算出手段が算出した筋肉量のうち所定の期間で推移した筋肉量である筋肉推移量とのうち少なくとも一方を算出するので、具体的な脂肪量や筋肉量を推移で比較できるようになり、肥満抑制に対するモチベーションを維持し、かつ肥満の状態を正確に把握することができる。
【図面の簡単な説明】
【００２８】
【図１】本実施の形態に係る体組成管理装置の構成を示すブロック図である。
【図２】推移算出手段の詳細を示すブロック図である。
【図３】換算手段の詳細を示すブロック図である。
【図４】情報記憶部の詳細を示すブロック図である。
【図５】基本情報記憶部が記憶する利用者の基本情報のデータ構造例を示す図である。
【図６】計測情報記憶部が記憶する利用者の計測情報のデータ構造例を示す図である。
【図７】体重情報および体脂肪率情報を受け付けてから筋肉量を算出するまで体組成管理装置が行なう処理を示すフローチャートである。
【図８】推移算出手段がグラフを作成するまでに行なう処理を示すフローチャートである。
【図９】体組成管理装置に基本情報を入力する状態を示す図である。
【図１０】体組成管理装置に体重情報および体脂肪率情報を入力する状態を示す図である。
【図１１】携帯端末機器に健康情報提供手段による健康情報を表示した状態を示す図である。
【図１２】携帯端末機器に体重および体脂肪率等の推移情報を表示した状態を示す図である。
【図１３】携帯端末機器にグラフ化した推移情報を表示した状態を示す図である。
【発明を実施するための形態】
【００２９】
以下、本発明の実施の形態を、図面を参照して詳細に説明する。
〔第１の実施の形態〕
図１は、本実施の形態に係る体組成管理装置の構成を示すブロック図である。
【００３０】
図１に示すように体組成管理装置１００は、基本情報受付手段１１０、体重受付手段１２０、体脂肪率受付手段１３０、体脂肪量算出手段１４０、筋肉量算出手段１５０、推移算出手段１６０、換算手段１７０、健康情報提供手段１８０、および情報記憶部１９０を備えている。
【００３１】
また体組成管理装置１００は、情報を体組成管理装置１００に入力するため入力手段２００、および入力手段２００によって入力された情報を体組成管理装置１００が処理した情報を表示するための表示手段３００に接続されている。
【００３２】
入力手段２００は、体組成管理装置１００に必要な体重情報や体脂肪率情報を入力するためのものであって、体組成管理装置１００に接続されるキーボードなどの入力装置である。この他、カメラなどで撮像した画像情報を入力するようにしてもよい。
【００３３】
この他、入力手段２００は体重情報や体脂肪率情報を測定する測定機器に組み込まれた無線通信機器であって、測定機器が測定した体重情報や体脂肪率情報をＢｌｕｅＴｏｏｔｈ（登録商標）などの近距離無線通信を介して体組成管理装置１００に入力するようにしてもよい。
【００３４】
また体組成管理装置１００は、例えばスマートフォンやタブレットなどの携帯端末機器に組み込まれるアプリケーションであって、入力手段２００および表示手段３００は携帯端末機器が備える構成の一部として機能し、携帯端末機器に備えられた入力手段２００および表示手段３００を利用して携帯端末機器に組み込まれた体組成管理装置１００に情報を入力、または処理された情報を表示することもできる。
【００３５】
体組成管理装置１００は、肥満抑制に対するモチベーションを維持しながら健康度を正確に把握するための装置であり、利用者Ｕが入力した情報に基づいて、利用者Ｕの体組成を管理するためのものである。
【００３６】
基本情報受付手段１１０は、利用者Ｕの基本情報を受け付けるためのものであり、入力手段２００、および情報記憶部１９０に接続されている。
利用者Ｕは入力手段２００を介して、利用者Ｕの基本情報である利用者氏名、利用者氏名のふりがな、性別、生年月日、身長などの情報を入力し、入力されたこれらの情報を基本情報受付手段１１０が受け付ける。
基本情報受付手段１１０が受け付けた利用者Ｕの基本情報は、接続された情報記憶部１９０に基本情報受付手段１１０が記憶させる。
【００３７】
体重受付手段１２０は、利用者Ｕがここでは図示しない体重計などを利用して計測した利用者Ｕの体重情報を受け付けるためのものであり、入力手段２００、体脂肪量算出手段１４０、および筋肉量算出手段１５０に接続されている。
【００３８】
利用者Ｕは入力手段２００を介して、利用者Ｕの体重情報を入力し、入力されたこの体重情報を体重受付手段１２０が受け付ける。
体重受付手段１２０が受け付けた利用者Ｕの体重情報は、接続された体脂肪量算出手段１４０、および筋肉量算出手段１５０に体重受付手段１２０が通知する。
【００３９】
体脂肪率受付手段１３０は、利用者Ｕがここでは図示しない体脂肪率計などを利用して計測した利用者Ｕの体脂肪率情報を受け付けるためのものであり、入力手段２００、体脂肪量算出手段１４０、および筋肉量算出手段１５０に接続されている。
【００４０】
利用者Ｕは入力手段２００を介して、利用者Ｕの体脂肪率情報を入力し、入力されたこの体脂肪率情報を体脂肪率受付手段１３０が受け付ける。
体脂肪率受付手段１３０が受け付けた利用者Ｕの体脂肪率情報は、接続された体脂肪量算出手段１４０、および筋肉量算出手段１５０に体重受付手段１２０が通知する。
【００４１】
体脂肪量算出手段１４０は、利用者Ｕが測定した体重および体脂肪率から利用者Ｕの体脂肪量を算出するためのものであり、体重受付手段１２０、体脂肪率受付手段１３０、筋肉量算出手段１５０、および情報記憶部１９０に接続されている。
【００４２】
体脂肪量算出手段１４０は、体重受付手段１２０、および体脂肪率受付手段１３０が受け付けた利用者Ｕの体重情報、および体脂肪率情報に基づいて利用者Ｕの体脂肪量を算出する。具体的な算出方法は、体重情報の値に体脂肪率情報の値を乗算した値を体脂肪量情報の値として体脂肪率受付手段１３０が算出する。
体脂肪量算出手段１４０が算出した利用者Ｕの体脂肪量情報は、接続された情報記憶部１９０に体重情報および体脂肪率情報と共に体脂肪量算出手段１４０が記憶させる。
【００４３】
筋肉量算出手段１５０は、体重受付手段１２０、および体脂肪率受付手段１３０が受け付けた利用者Ｕの体重情報、および体脂肪量算出手段が算出した体脂肪量に基づいて利用者Ｕの筋肉量を算出するためのものであり、体重受付手段１２０、体脂肪率受付手段１３０、体脂肪量算出手段１４０、および情報記憶部１９０に接続されている。
【００４４】
具体的な算出方法は、まず利用者Ｕの体重情報の値から体脂肪量情報の値を減算してＬＢＭ（Lean Body Mass）と呼ばれる除体脂肪体重情報の値を筋肉量算出手段１５０が算出する。次に、除体脂肪体重を２で除算した値を筋肉量情報の値として筋肉量算出手段１５０が算出する。
筋肉量算出手段１５０が算出した利用者Ｕの体脂肪体重情報、および筋肉量情報は、接続された情報記憶部１９０に筋肉量算出手段１５０が記憶させる。
【００４５】
この体脂肪量算出手段１４０および筋肉量算出手段１５０が、体脂肪量情報、除体脂肪体重情報、筋肉量情報を算出することで、体脂肪率の表示だけではあいまいであった情報が、具体的な利用者の体組成を算出することができる。
【００４６】
推移算出手段１６０は、利用者Ｕの体重情報、体脂肪量情報、除体脂肪体重情報、筋肉量情報などの推移を算出するためのものであり、換算手段１７０、情報記憶部１９０および表示手段３００に接続されている。
【００４７】
推移算出手段１６０は、利用者Ｕにあらかじめ設定された基準から、一定の期日における各情報の推移を算出する。例えば、利用者Ｕの計測開始初日の体脂肪量が１１．５ｋｇであり、今回計測した体重が１１．０ｋｇであれば、一定期間における体脂肪量の推移がマイナス０．５ｋｇであることを算出する。
【００４８】
換算手段１７０は、推移算出手段１６０が算出した一定期間における利用者Ｕの体重情報、体脂肪量情報、除体脂肪体重情報、筋肉量情報などの推移量を具体的な値に換算するためのものであり、推移算出手段１６０、情報記憶部１９０、および表示手段３００に接続されている。
【００４９】
具体的には、体脂肪量の推移を換算する場合、まず換算手段１７０は、体脂肪量１ｋｇを減らすために必要なカロリーを７２００ｋｃａｌとして必要な消費カロリーを算出する。次に、消費カロリーを具体的な運動量や摂取カロリーなどの情報に換算する。
【００５０】
さらに具体的には、利用者Ｕの一定期間における体脂肪量の推移がマイナス０．５ｋｇだった場合、換算手段１７０は、減少した０．５ｋｇの体脂肪量を熱量の単位であるキロカロリーに換算して３６００ｋｃａｌと算出する。
【００５１】
つぎにこの３６００ｋｃａｌを運動して消費したとする場合、フルマラソン１回で２４００ｋｃａｌ消費するとして、減少した３６００ｋｃａｌの体脂肪量はフルマラソン１．５回分に相当すると換算する。
【００５２】
これにより利用者Ｕは、減少した体脂肪量は、フルマラソン１．５回分の運動に相当したと把握することができる。これにより、より具体的に肥満抑制に対するモチベーションを向上または維持することができる。
【００５３】
他の具体例として、０．５ｋｇの体脂肪量が増加した場合、体脂肪量をキロカロリーに換算して増加した３６００ｋｃａｌを摂取するには、白米１４０ｇ（１膳分）で２３５ｋｃａｌの摂取カロリーであるとして、増加した３６００ｋｃａｌの体脂肪量は白米１５．３膳分の摂取カロリーに相当すると換算する。
【００５４】
これにより利用者Ｕは、白米１５．３膳分の摂取カロリーを過剰に摂取してしまったことで０．５ｋｇの体脂肪率が増加してしまったと、具体的に自分の肥満状態を把握することができる。これにより、より具体的に肥満抑制に対するモチベーションを向上または維持することができる。なお、換算するための情報は接続された情報記憶部１９０に記憶しておくとよい。
【００５５】
また上記のように、体脂肪量が増加した場合、入力手段２００を介して画像による食事記録を入力しておくことで、数値で増減があった時期に具体的にどのような食生活だったかを明確に確認することができる。これにより、過去の食生活を確認しながら自分を戒めて肥満抑制に対するモチベーションを向上することができる。また、食事記録を栄養士やトレーナーなどの第三者に確認してもらうこともできるので、適度な緊張感やプレッシャーを利用者Ｕに与えることができ、肥満抑制に対するモチベーションを向上することができる。
【００５６】
この推移算出手段１６０および換算手段１７０が、一定期間における利用者Ｕの体組成の推移を算出し、さらに具体的な運動量や摂取エネルギーに換算することで、計測時点で得られる体重情報や体脂肪率情報だけでは利用者Ｕが把握できなかった自分の体組成情報が顕在化し、より具体的に肥満抑制に対するモチベーションを向上または維持することができる。
【００５７】
健康情報提供手段１８０は、利用者に健康情報を提供するためのものであり、情報記憶部１９０および表示手段３００に接続されている。
健康情報提供手段１８０は、あらかじめ健康情報を情報記憶部１９０に記憶させておき、情報記憶部１９０に記憶されている利用者Ｕの体重情報、体脂肪率情報、体脂肪量情報、筋肉量情報、またこれらの推移情報に基づいて、利用者Ｕの肥満を解消するための健康情報を提供する。健康情報の具体的な例としては、体脂肪量を減少させるための運動の動画情報や、摂取カロリーが抑制される食事情報などを、表示手段３００を介して利用者Ｕに提供する。
【００５８】
なお健康情報提供手段１８０は、表示手段３００を介して利用者Ｕに健康情報を提供するだけでなく、他の通信手段を用いて提供するようにしてもよい。他の通信手段の具体例としては、ＳＮＳ（social networking service）とよばれるソーシャル・ネットワーキング・サービスを利用することが考えられる。
【００５９】
健康情報提供手段１８０は、利用者Ｕに提供する健康情報が記載されたウェブサイトのアドレスや、動画情報サイトのアドレスなどを、利用者Ｕが利用しているＳＮＳ宛てに配信する。配信する際は、最適な時間を設定して送信することもできる。
【００６０】
これにより、利用者Ｕが肥満抑制に対するモチベーションが低下しないように、適宜必要な時に必要な健康情報を提供することができる。またＳＮＳを介して健康情報を配信することで、配信された健康情報を利用者Ｕの個人間のコミュニケーションに利用することができ、健康情報を広めたり、利用者Ｕの肥満抑制に対する意識を向上させたりすることができる。
【００６１】
情報記憶部１９０は、基本情報受付手段１１０、体脂肪量算出手段１４０、筋肉量算出手段１５０、推移算出手段１６０、換算手段１７０、および健康情報提供手段１８０に接続されており、処理に必要な情報を記憶、または記憶された情報を必要に応じて呼び出すことのできる記憶媒体である。
【００６２】
なお、本実施の形態で情報記憶部１９０は、体組成管理装置１００の内部に情報記憶部１９０を備えているが、体組成管理装置１００に無線または有線通信手段を備えることで、情報記憶部１９０をインターネットなどのネットワークを介したサーバー等に配置することもできる。
【００６３】
また本実施の形態では、入力する情報を利用者Ｕの基本情報、体重情報及び体脂肪率情報としたが、この他にも、利用者Ｕの体型等を撮像した写真情報を入力するようにしてもよい。この場合、推移算出手段１６０は、利用者Ｕにあらかじめ設定された基準から、一定の期日における写真情報上の推移を算出するようにしてもよい。
【００６４】
また本実施の形態における体脂肪量の計算方法、筋肉量の計算方法、換算手段による計算方法は、ほんの一例に過ぎず、年齢や性別、身長などの情報を考慮して算出するようにしてもよい。
【００６５】
図２は、推移算出手段の詳細を示すブロック図である。
図２に示すように、推移算出手段１６０は、推移計算部１６１、およびグラフ作成部１６２を備えている。
【００６６】
推移計算部１６１は、情報記憶部１９０、およびグラフ作成部１６２に接続されており、推移算出手段１６０が算出する利用者Ｕの体重情報、体脂肪量情報、除体脂肪体重情報、筋肉量情報などの推移を計算するためのものである。
【００６７】
グラフ作成部１６２は、推移計算部１６１、換算手段１７０、および表示手段３００に接続されており、推移計算部１６１が算出した推移量からグラフを作成するためのものである。
【００６８】
グラフ作成部１６２は、利用者Ｕが選択する期間単位に応じて、推移の変化をグラフ状にして視覚化することができる。これにより、数値だけでは直感的に理解しづらいデータを、より直感的に把握することができるようになる。
【００６９】
グラフ作成部１６２が作成するグラフは、１年単位、半年単位、３ヶ月単位など任意のスパンでグラフ化することができる。グラフを構成する計測点は、体重や体脂肪率を計測した時点を計測点として細かくグラフ化するのではなく、利用者Ｕが選択したスパン毎にあらかじめ決められた平均値でグラフ化する。
【００７０】
具体的には、１年単位でグラフ化する場合は、１ヶ月毎の平均値をグラフの構成単位として１年の推移をグラフ化する。また半年単位でグラフ化する場合は、半月毎の平均値をグラフの構成単位、３ヶ月単位でグラフ化する場合は、３日毎の平均値をグラフの構成単位として推移をグラフ化する。
【００７１】
これにより、利用者Ｕが計測した計測点を構成単位とした細かい情報によるグラフよりも、所定の単位で平均化されたグラフの方が、長期的な推移を観測することができる。
推移算出手段１６０によって算出された情報は、表示手段３００を介して利用者Ｕに表示される。
【００７２】
図３は、換算手段の詳細を示すブロック図である。
図３に示すように、換算手段１７０は、運動換算部１７１、および摂取エネルギー換算部１７２を備えている。
【００７３】
運動換算部１７１は、推移算出手段、情報記憶部１９０、および表示手段３００に接続されており、推移算出手段１６０によって算出された推移量を運動エネルギーに換算するためのものである。
【００７４】
摂取エネルギー換算部１７２は、推移算出手段１６０によって算出された推移量を摂取エネルギーに換算するためのものである。
換算手段１７０によって換算された情報は、表示手段３００を介して利用者Ｕに表示される。
【００７５】
図４は、情報記憶部の詳細を示すブロック図である。
図４に示すように、情報記憶部１９０は、基本情報記憶部１９１、計測情報規億部１９２、換算情報記憶部１９３、および健康情報記憶部１９４を備えている。
【００７６】
基本情報記憶部１９１は、入力手段２００を介して入力した利用者Ｕの基本情報である利用者氏名、利用者氏名のふりがな、性別、生年月日、身長などの情報が記憶されている。
【００７７】
計測情報規億部１９２は、入力手段２００を介して入力した利用者Ｕが定期的に計測した体重や体脂肪率などの情報が記憶されている。
換算情報記憶部１９３は、換算手段１７０が推移量を運動エネルギーや摂取エネルギーに換算する際に必要な情報が記憶されている。
【００７８】
健康情報記憶部１９４は、利用者Ｕの肥満抑制に必要な体脂肪量を減少させるための運動の動画情報や、摂取カロリーが抑制される食事情報などが記憶されている。記憶される情報は、動画サイトやウェブサイトなどの外部に記憶された情報にアクセスするためのＵＲＬなどのアクセス情報を記憶することもできる。
【００７９】
図５は、基本情報記憶部が記憶する利用者の基本情報のデータ構造例を示す図である。
図５に示すように、利用者Ｕの基本情報には、キー、および基本情報の欄が設けられており、さらにキーとして利用者コードの欄が設けられ、基本情報として、利用者氏名、利用者ふりがな、性別、生年月日、身長などの各欄が設けられている。
【００８０】
「利用者コード」の欄には、利用者を識別するための識別情報である利用者固有の文字列が設定されている。
「利用者氏名」の欄には、利用者の氏名が文字列として設定されている。「利用者ふりがな」の欄には、利用者の氏名のふりがなが文字列として設定されている。「性別」の欄には、利用者の性別が選択されて文字列として設定されている。「生年月日」の欄には、利用者の生年月日が文字列として設定されている。「身長」の欄には、利用者の身長情報が数値として設定されている。
【００８１】
図６は、計測情報記憶部が記憶する利用者の計測情報のデータ構造例を示す図である。
図６に示すように、利用者Ｕの計測情報には、キー、および計測情報の欄が設けられており、さらにキーとして情報コードの欄が設けられ、計測情報として、利用者コード、情報入力日時、体重、体脂肪率、体脂肪量、ＬＢＭ、筋肉量などの各欄が設けられている。
【００８２】
「情報コード」の欄には、計測情報を識別するための識別情報である計測情報固有の文字列が設定されている。
「情報入力日時」の欄には、利用者が計測した情報を入力した日時の日付および時間情報が設定されている。「体重」の欄には、利用者が計測した体重情報が数値として設定されている。「体脂肪率」の欄には、利用者が計測した体脂肪率情報が数値として設定されている。「体脂肪量」の欄には、利用者が計測した体重情報および体脂肪率情報に基づいて、体脂肪量算出手段１４０が算出した体脂肪量が数値として設定されている。「ＬＢＭ」の欄には、利用者が計測した体重情報および体脂肪率情報に基づいて、筋肉量算出手段１５０が算出した除体脂肪体重であるＬＢＭが数値として設定されている。「筋肉量」の欄には、利用者が計測した体重情報および体脂肪率情報に基づいて、筋肉量算出手段１５０が算出した筋肉量が数値として設定されている。
【００８３】
図７は、体重情報および体脂肪率情報を受け付けてから筋肉量を算出するまで体組成管理装置が行なう処理を示すフローチャートである。以下、図７に示す処理をステップ番号に沿って説明する。
【００８４】
〔ステップＳ１１〕
体組成管理装置１００は、体重情報を受け付ける。具体的には、入力手段２００に利用者Ｕが入力した体重情報を体重受付手段１２０が受け付ける。
【００８５】
〔ステップＳ１２〕
体組成管理装置１００は、体脂肪率情報を受け付ける。具体的には、入力手段２００に利用者Ｕが入力した体重情報を体脂肪率受付手段１３０が受け付ける。
【００８６】
〔ステップＳ１３〕
体組成管理装置１００は、体脂肪量情報を算出する。具体的には、ステップＳ１１およびステップＳ１２で受け付けた体重情報および体脂肪率情報に基づいて、体脂肪量算出手段１４０が体脂肪量情報を算出する。
【００８７】
〔ステップＳ１４〕
体組成管理装置１００は、除体脂肪体重情報を算出する。具体的には、ステップＳ１１で受け付けた体重情報、およびステップＳ１３で算出した体脂肪量情報に基づいて、筋肉量算出手段１５０が除体脂肪体重情報を算出する。
【００８８】
〔ステップＳ１５〕
体組成管理装置１００は、筋肉量情報を算出する。具体的には、ステップＳ１４で算出した除体脂肪体重情報に基づいて、筋肉量算出手段１５０が筋肉量情報を算出する。
【００８９】
図８は、推移算出手段がグラフを作成するまでに行なう処理を示すフローチャートである。以下、図８に示す処理をステップ番号に沿って説明する。
〔ステップＳ２１〕
推移算出手段１６０は、グラフの表示単位を受け付ける。具体的には、利用者Ｕが入力したグラフの表示単位をグラフ作成部１６２が受け付ける。
【００９０】
〔ステップＳ２２〕
推移算出手段１６０は、受け付けたグラフの表示単位を識別する。具体的には、ステップＳ２１で受け付けたグラフの表示単位が、１年単位であるか、半年単位であるか、３ヶ月単位であるか、あるいは１ヶ月単位であるかをグラフ作成部１６２が識別する。
【００９１】
受け付けたグラフの表示単位が、１年単位であると判断したときは、処理をステップＳ２３へ進め、受け付けたグラフの表示単位が、半年単位であると判断したときは、処理をステップＳ２４へ進め、受け付けたグラフの表示単位が、３ヶ月単位であると判断したときは、処理をステップＳ２５へ進め、受け付けたグラフの表示単位が、１ヶ月単位であると判断したときは、処理をステップＳ２６へ進める。
【００９２】
〔ステップＳ２３〕
推移算出手段１６０は、１ヶ月毎の平均値を算出する。具体的には、情報記憶部１９０に記憶された計測情報から過去１年間における１ヶ月毎の平均値を算出する。なお算出する項目は、適宜利用者Ｕが選択することもできるし、すべての項目毎の平均値を算出することもできる。
【００９３】
〔ステップＳ２４〕
推移算出手段１６０は、半月毎の平均値を算出する。具体的には、情報記憶部１９０に記憶された計測情報から過去半年における半月毎の平均値を算出する。なお算出する項目は、適宜利用者Ｕが選択することもできるし、すべての項目毎の平均値を算出することもできる。
【００９４】
〔ステップＳ２５〕
推移算出手段１６０は、３日毎の平均値を算出する。具体的には、情報記憶部１９０に記憶された計測情報から過去３ヶ月における３日毎の平均値を算出する。なお算出する項目は、適宜利用者Ｕが選択することもできるし、すべての項目毎の平均値を算出することもできる。
【００９５】
〔ステップＳ２６〕
推移算出手段１６０は、１日毎の平均値または１日毎の値を算出する。具体的には、情報記憶部１９０に記憶された計測情報から過去１ヶ月における１日毎の平均値または１日毎の値を算出する。なお算出する項目は、適宜利用者Ｕが選択することもできるし、すべての項目毎の平均値を算出することもできる。
【００９６】
〔ステップＳ２７〕
推移算出手段１６０は、グラフを作成する。具体的には、ステップＳ２３〜ステップＳ２６のいずれかの処理で算出された平均値に基づき、グラフ作成部１６２は、グラフを作成する。
【００９７】
図９は、体組成管理装置に基本情報を入力する状態を示す図である。
なお以下は便宜上、入力手段２００および表示手段３００を備える携帯端末機器４００に体組成管理装置１００がアプリケーションとして組み込まれたものとして説明する。
【００９８】
図９に示すように、携帯端末機器４００の表示画面には、体組成管理装置１００に利用者Ｕの基本情報を入力するための画面が表示されている。
利用者Ｕは、この基本情報入力画面で姓名、ふりがな、性別、生年月日、および身長など入力し、登録ボタン４１０をタップすることで基本情報を体組成管理装置１００に送信することができる。送信された基本情報は、基本情報受付手段１１０が受け付ける。
【００９９】
図１０は、体組成管理装置に体重情報および体脂肪率情報を入力する状態を示す図である。
利用者Ｕは、この体重・体脂肪率の登録画面で、定期的に計測した体重、体脂肪率、および計測した日時などを入力し、登録ボタン４１０をタップすることで計測情報を体組成管理装置１００に送信することができる。送信された基本情報は、体重受付手段１２０、および体脂肪量算出手段１４０が受け付ける。
【０１００】
また体重・体脂肪率の入力は、登録画面からの入力だけでなく、携帯端末機器４００に搭載されたＢｌｕｅＴｏｏｔｈ（登録商標）などの近距離無線通信を介して、対応する体重計などから自動的に取得するようにしてもよい。
【０１０１】
図１１は、携帯端末機器に健康情報提供手段による健康情報を表示した状態を示す図である。
図１１に示すように、携帯端末機器４００の表示画面には、健康情報提供手段１８０が提供した、利用者Ｕに最適な運動の動画情報を提供している。健康情報提供手段１８０により提供された健康情報の履歴情報は、健康情報提供手段１８０が情報記憶部１９０に記憶しておくこともできる。
【０１０２】
また健康情報提供手段１８０は、あらかじめ設定された時間や、利用者Ｕにとって最適な時間帯にポップアップ等で知らせることができる。またＳＮＳなどの他のアプリケーションを介して、健康情報の提供や、計測を促す情報を提供するようにしてもよい。
【０１０３】
図１２は、携帯端末機器に体重および体脂肪率等の推移情報を表示した状態を示す図である。
図１２に示すように、携帯端末機器４００の表示画面には、体重推移情報欄４２０、体脂肪率推移情報欄４３０、体脂肪量推移情報欄４４０、換算情報表示欄４５０、除体脂肪体重推移情報表示欄４６０、および筋肉量推移情報表示欄４７０を備えている。
【０１０４】
体重推移情報欄４２０は、体重情報を記録した初日を基準として、現在の体重への推移算出手段１６０が算出した推移情報が表示されている。表示された情報から体重が１．４ｋｇ増加したことがわかる。
【０１０５】
体脂肪率推移情報欄４３０は、体脂肪率情報を記録した初日を基準として、現在の体脂肪率への推移算出手段１６０が算出した推移情報が表示されている。表示された情報から体脂肪率が１．０％減少したことがわかる。
【０１０６】
従来のように、上記の体重情報と体脂肪率情報とだけでは、計測日初日から体脂肪率が１．０％減少しているものの、体重が１．４ｋｇ増加しており、全体的に利用者Ｕの体組成がどのような状態であるのかがわかりにくい。
【０１０７】
以下のような体脂肪量や筋肉量の推移情報を表示することで、利用者Ｕの体組成がどのような状態であるのかが把握しやすくなる。
体脂肪量推移情報欄４４０は、体重情報および体脂肪率情報を記録し、体脂肪量が算出された初日を基準として、現在の体脂肪量への推移算出手段１６０が算出した推移情報が表示されている。表示された情報から体脂肪量が０．２３５ｋｇ減少したことがわかる。
【０１０８】
換算情報表示欄４５０は、体脂肪量推移情報欄４４０で増減した推移情報を換算手段１７０が摂取カロリーに換算した換算情報が表示されている。表示された情報から、体脂肪量推移情報欄４４０で減少した体脂肪量は、１６９２ｋｃａｌに相当し、約１日分の摂取カロリーであることがわかる。
【０１０９】
このように増減した体脂肪量が、どのようなものなのか具体的に表示することで、利用者Ｕは、努力の成果を認識したり、逆に肥満への危機感を再認識したりすることができる。これにより利用者Ｕは健康へのモチベーションを維持しながら体組成を管理することができる。
【０１１０】
また計測機器による体脂肪率の誤差があったとしても、具体的な体脂肪量や筋肉量の推移の変化を利用者Ｕが認識することで、自分の肥満度や健康度を正確に判断することができる。
【０１１１】
除体脂肪体重推移情報表示欄４６０は、体重情報および体脂肪率情報を記録し、除体脂肪体重が算出された初日を基準として、現在の除体脂肪体重への推移算出手段１６０が算出した推移情報が表示されている。表示された情報から除体脂肪体重が０．６３５ｋｇ増加したことがわかる。
【０１１２】
筋肉量推移情報表示欄４７０は、体重情報および体脂肪率情報を記録し、筋肉量が算出された初日を基準として、現在の筋肉量への推移算出手段１６０が算出した推移情報が表示されている。表示された情報から筋肉量が０．８１７５ｋｇ増加したことがわかる。
【０１１３】
以上の情報により、計測日初日から体脂肪率が１．０％減少しているものの、体重が１．４ｋｇ増加しており、健康状況が良くなっているのか悪くなっているのかわかりづらいが、体脂肪量推移情報欄４４０や筋肉量推移情報表示欄４７０による情報により、利用者Ｕの体重増加は筋肉量の増加によることがわかり、計測日初日より良い状態になっていることが把握できる。
【０１１４】
図１３は、携帯端末機器にグラフ化した推移情報を表示した状態を示す図である。
図１３（Ａ）では、１年間を通して体重の推移をあらわすグラフを推移算出手段１６０が作成したグラフである。推移算出手段１６０は、１ヶ月毎の体重の平均値をグラフの構成単位として１年間の体重の推移をグラフ化する。
【０１１５】
図１３（Ｂ）では、半年間を通して体脂肪量の推移をあらわすグラフを推移算出手段１６０が作成したグラフである。推移算出手段１６０は、半月毎の体脂肪量の平均値をグラフの構成単位として半年間の体脂肪量推移をグラフ化する。
【０１１６】
図１３（Ｃ）では、３ヶ月間を通して筋肉量の推移をあらわすグラフを推移算出手段１６０が作成したグラフである。推移算出手段１６０は、３日毎の体脂肪量の平均値をグラフの構成単位として３ヶ月間の体脂肪量の推移をグラフ化する。
【符号の説明】
【０１１７】
１００  体組成管理装置
１１０  基本情報受付手段
１２０  体重受付手段
１３０  体脂肪率受付手段
１４０  体脂肪量算出手段
１５０  筋肉量算出手段
１６０  推移算出手段
１７０  換算手段
１８０  健康情報提供手段
１９０  情報記憶部
２００  入力手段
３００  表示手段
４００  携帯端末機器
４１０  登録ボタン
４２０  体重推移情報欄
４３０  体脂肪率推移情報欄
４４０  体脂肪量推移情報欄
４５０  換算情報表示欄
４６０  除体脂肪体重推移情報表示欄
４７０  筋肉量推移情報表示欄
Ｕ  利用者
【図１】
2020119019.tif 000003
【図２】
2020119019.tif 000004
【図３】
2020119019.tif 000005
【図４】
2020119019.tif 000006
【図５】
2020119019.tif 000007
【図６】
2020119019.tif 000008
【図７】
2020119019.tif 000009
【図８】
2020119019.tif 000010
【図９】
2020119019.tif 000011
【図１０】
2020119019.tif 000012
【図１１】
2020119019.tif 000013
【図１２】
2020119019.tif 000014
【図１３】
2020119019.tif 000015